(57)【要約】【課題】  極めて簡単な構成で、幅の広いスライド式シャッタであっても補強することができるスライド式シャッタの補強構造１を提供する。【解決手段】  スライド式シャッタの補強構造１は、建物開口部１０の上縁に沿って架設される架設レール５と、建物開口部１０の床面Ｆに形成される固定孔６と、上端が架設レール５にスライド可能に連結され、下端が固定孔６に出入自在に挿入される補強部材７と、を備え、補強部材７は、架設レール５の上を回転移動するローラ１１と、上端がローラ１１の軸１２に連結され下方に延びる、少なくとも下部が中空の筒状に形成された補強体１３と、補強体１３の下部に少なくとも一部が収納可能であると共に補強体１３の下部から伸出可能な固定部９と、固定部９を補強体１３の下部に収納させた状態と、補強体１３から伸出させて固定孔６に挿入させた状態とに操作可能なレバー１４と、を備える。【選択図】図２
2011246897.tif 000002
【特許請求の範囲】
【請求項１】
建物開口部の両側縁に沿って上下方向に設けられた一対のガイドレールに案内されて、前記建物開口部を開閉可能なシャッタ板を備えるスライド式シャッタの補強構造であって、
前記建物開口部の上縁に沿って架設される架設レールと、
前記建物開口部の床面に形成される固定孔と、
上端が前記架設レールにスライド可能に連結されるとともに、下端が前記固定孔に出入自在に挿入される補強部材と、を備え、
前記補強部材は、前記架設レールに案内されて回転移動するローラと、
上端が前記ローラの軸に連結され下方に延びる、少なくとも下部が中空の筒状に形成された補強体と、
該補強体の下部に少なくとも一部が収納可能であると共に前記補強体の下部から伸出可能な固定部と、
該固定部を、前記補強体の下部に収納させた状態と、前記補強体の下部から伸出させて前記固定孔に挿入させた状態とに操作可能なレバーと、
を備えることを特徴とするスライド式シャッタの補強構造。
【請求項２】
建物開口部の両側縁に沿って上下方向に設けられた一対のガイドレールに案内されて、前記建物開口部を開閉可能なシャッタ板を備えるスライド式シャッタの補強構造であって、
前記建物開口部の上縁に沿って架設される架設レールと、
前記建物開口部の下縁に沿って床面に形成される溝部と、
上端が前記架設レールにスライド可能に連結されるとともに、下端が前記溝部に案内される補強部材と、を備え、
前記補強部材は、前記架設レールに案内されて回転移動可能なローラと、
上端が前記ローラの軸に連結され下方に延びる補強体と、
前記補強体の下部に形成されて、前記溝部に沿って回転移動可能な車輪と、
前記車輪を停止させるストッパと、
を備えることを特徴とするスライド式シャッタの補強構造。
【請求項３】
建物開口部の両側縁に沿って上下方向に設けられた一対のガイドレールに案内されて、前記建物開口部を開閉可能なシャッタ板を備えるスライド式シャッタの補強構造であって、
前記建物開口部の上縁に沿って架設される架設レールと、
前記建物開口部の床面に形成される固定孔と、
上端が前記架設レールにスライド可能に連結される補強部材と、を備え、
前記補強部材は、前記架設レールに案内されて回転移動可能なローラと、
上端が前記ローラの軸に連結され下方に延びる補強体と、
前記補強体の内部において上下方向に伸長及び縮退自在に収納され、伸長状態において上端が前記補強体の上部から突出し前記架設レールの下面に設けられた係止部に係止されるとともに下端が前記補強体の下部から突出し前記建物開口部の床面に形成された固定孔に収納される伸縮部材と、
を備えることを特徴とするスライド式シャッタの補強構造。
【請求項４】
前記架設レールは上下に平行に架設される一対のフランジの側縁同士をウェブで連結した溝形鋼により形成されており、
前記ローラは、前記溝形鋼の下側のフランジの上を回転移動することを特徴とする請求項１から請求項３のいずれかに記載のスライド式シャッタの補強構造。
【請求項５】
前記架設レールは上下に平行に架設される一対のフランジの幅方向の中心に沿ってウェブで連結したＨ形鋼により形成されており、
前記ローラは、前記Ｈ形鋼の下側のフランジの両側部の上にそれぞれ設けられて回転移動することを特徴とする請求項１から請求項３のいずれかに記載のスライド式シャッタの補強構造。
【請求項６】
前記補強体の中間位置に外嵌して固定される円筒状に形成された保持部と、
前記保持部に外嵌する円筒状の弾性体からなる圧接部と、を具備し、
前記圧接部は、前記保持部を軸として回転自在であるとともに、その一部外周面が突出して前記シャッタ板に圧接する平坦面を形成したことを特徴とする請求項１から請求項５のいずれかに記載のスライド式シャッタの補強構造。
【請求項７】
前記補強部材が前記シャッタ板を挟んで屋内側及び屋外側にそれぞれ形成されることを特徴とする請求項１から請求項６に記載のスライド式シャッタの補強構造。
【発明の詳細な説明】
【技術分野】
【０００１】
本発明は、建物開口部に設置されるスライド式シャッタの補強構造に関し、特に、建物開口部の上縁に沿って架設されるレールに吊下げられて水平方向に移動し、所定位置でシャッタ板を補強するスライド式シャッタの補強構造に関する。
【背景技術】
【０００２】
建物開口部を開閉するスライド式シャッタは、上下に連結される複数のスラット板からなるシャッタ板を、建物開口部の両側縁に設置されたガイドレールに案内させて、建物開口部を開閉する構成である（例えば特許文献１）。このようなスライド式シャッタは、強風に煽られるとシャッタ板がバタついてガイドレールと衝突し騒音を発生し易く、さらにはシャッタ板が風圧に負けて破損する虞がある。
【０００３】
そこで、上述の問題を解消するために本願の出願人は、図１７に示すように、上下に昇降する複数のスラット板を連結してなるシャッタカーテン１００と、該シャッタカーテン１００を案内する左右一対のガイドレール１０１，１０２と、該ガイドレール１０１，１０２の上方に設けられ前記シャッタカーテン１００を巻き取り収納するシャッタケース１０３と、を有するスライド式シャッタの補強構造１０４であって、前記一対のガイドレール１０１，１０２のうち一方のガイドレール１０１の上端に、一端が回転自在に取り付けられるとともに、他端が開口した中空の長手形状のシャッタ補強基材１０５と、該シャッタ補強基材１０５の内部に挿入されて伸出及び縮退可能に構成される長さ調整部材１０６と、該長さ調整部材１０６の先端に回転可能に連結されるとともに、前記一対のガイドレール１０１，１０２のうち他方のガイドレール１０２に案内される連結部材１０７と、を備えるスライド式シャッタの補強構造１０４を提案している（例えば、特許文献２）。
【０００４】
このように構成すると、シャッタ補強基材１０５がスライド式シャッタ１０８のシャッタカーテン１００に斜めに当接することで、一定以上の風圧がシャッタカーテン１００にかかった場合でも、シャッタ補強基材１０５に押さえられるので、シャッタカーテン１００がガイドレール１０１，１０２から脱落することを抑制できる。
【先行技術文献】
【特許文献】
【０００５】
【特許文献１】特開２００４−１７６２６３号公報
【特許文献２】特許第４４５６１５８号公報
【発明の概要】
【発明が解決しようとする課題】
【０００６】
しかし、上述のようなスライド式シャッタの補強構造１０４は、一方のガイドレール１０１と他方のガイドレール１０２とに架け渡されるように設けられるものであるので、例えば幅の広いスライド式シャッタ１０８に取り付ける場合には、シャッタ補強基材１０５及び長さ調整部材１０６の長さが長くなるので、十分な強度でスライド式シャッタ１０８を補強できない虞がある。
【０００７】
そこで本発明は、上述の問題点を解決するためになされたものであり、極めて簡単な構成で、幅の広いスライド式シャッタであっても補強することができるスライド式シャッタの補強構造を提供することを目的とする。
【課題を解決するための手段】
【０００８】
上記目的を達成するために、請求項１に記載のスライド式シャッタの補強構造は、建物開口部の両側縁に沿って上下方向に設けられた一対のガイドレールに案内されて、前記建物開口部を開閉可能なシャッタ板を備えるスライド式シャッタの補強構造であって、前記建物開口部の上縁に沿って架設される架設レールと、前記建物開口部の床面に形成される固定孔と、上端が前記架設レールにスライド可能に連結されるとともに、下端が前記固定孔に出入自在に挿入される補強部材と、を備え、前記補強部材は、前記架設レールに案内されて回転移動するローラと、上端が前記ローラの軸に連結され下方に延びる、少なくとも下部が中空の筒状に形成された補強体と、該補強体の下部に少なくとも一部が収納可能であると共に前記補強体の下部から伸出可能な固定部と、該固定部を、前記補強体の下部に収納させた状態と、前記補強体の下部から伸出させて前記固定孔に挿入させた状態とに操作可能なレバーと、を備えることを特徴としている。
【０００９】
請求項２に記載のスライド式シャッタの補強構造は、建物開口部の両側縁に沿って上下方向に設けられた一対のガイドレールに案内されて、前記建物開口部を開閉可能なシャッタ板を備えるスライド式シャッタの補強構造であって、前記建物開口部の上縁に沿って架設される架設レールと、前記建物開口部の下縁に沿って床面に形成される溝部と、上端が前記架設レールにスライド可能に連結されるとともに、下端が前記溝部に案内される補強部材と、を備え、前記補強部材は、前記架設レールに案内されて回転移動可能なローラと、上端が前記ローラの軸に連結され下方に延びる補強体と、前記補強体の下部に形成されて、前記溝部に沿って回転移動可能な車輪と、前記車輪を停止させるストッパと、を備えるを特徴としている。
【００１０】
請求項３に記載のスライド式シャッタの補強構造は、建物開口部の両側縁に沿って上下方向に設けられた一対のガイドレールに案内されて、前記建物開口部を開閉可能なシャッタ板を備えるスライド式シャッタの補強構造であって、前記建物開口部の上縁に沿って架設される架設レールと、前記建物開口部の床面に形成される固定孔と、上端が前記架設レールにスライド可能に連結される補強部材と、を備え、前記補強部材は、前記架設レールに案内されて回転移動可能なローラと、上端が前記ローラの軸に連結され下方に延びる補強体と、前記補強体の内部において上下方向に伸長及び縮退自在に収納され、伸長状態において上端が前記補強体の上部から突出し前記架設レールの下面に設けられた係止部に係止されるとともに下端が前記補強体の下部から突出し前記建物開口部の床面に形成された固定孔に収納される伸縮部材と、を備えることを特徴としている。
【００１１】
請求項４に記載のスライド式シャッタの補強構造は、前記架設レールは上下に平行に架設される一対のフランジの側縁同士をウェブで連結した溝形鋼により形成されており、前記ローラは、前記溝形鋼の下側のフランジの上を回転移動することを特徴としている。
【００１２】
請求項５に記載のスライド式シャッタの補強構造は、前記架設レールは上下に平行に架設される一対のフランジの幅方向の中心に沿ってウェブで連結したＨ形鋼により形成されており、前記ローラは、前記Ｈ形鋼の下側のフランジの両側部の上にそれぞれ設けられて回転移動することを特徴としている。
【００１３】
請求項６に記載のスライド式シャッタの補強構造は、前記補強体の中間位置に外嵌して固定される円筒状に形成された保持部と、前記保持部に外嵌する円筒状の弾性体からなる圧接部と、を具備し、前記圧接部は、前記保持部を軸として回転自在であるとともに、その一部外周面が突出して前記シャッタ板に圧接する平坦面を形成したことを特徴としている。
【００１４】
請求項７に記載のスライド式シャッタの補強構造は、前記補強部材が前記シャッタ板を挟んで屋内側及び屋外側にそれぞれ形成されることを特徴としている。
【発明の効果】
【００１５】
本発明の請求項１に記載のスライド式シャッタの補強構造によると、ローラにより建物開口部の上縁に沿って架設される架設レールに、補強部材の上端がスライド可能に連結されており、この補強部材の下部に形成された固定部が、建物開口部の床面に形成された固定孔に収納されるので、補強部材が架設レールと固定孔との間に固定されることになり、補強体がシャッタ板に当接してスライド式シャッタを補強することができる。このように構成することにより、スライド式シャッタの幅が広い場合であっても、極めて簡単な構成でスライド式シャッタを補強することができる。
【００１６】
請求項２に記載のスライド式シャッタの補強構造によると、ローラにより建物開口部の上縁に沿って架設される架設レールに、補強部材の上端がスライド可能に連結されており、補強部材の下部に建物開口部の下縁に沿って床面に形成された溝部に案内される車輪が形成されており、この車輪を停止させるストッパが設けられているので、補強部材が架設レールと溝部との間に固定されることになり補強体がシャッタ板に当接してスライド式シャッタを補強することができる。このように構成することにより、スライド式シャッタの幅が広い場合であっても、極めて簡単な構成でスライド式シャッタを補強することができる。また、車輪を停止させる位置は任意に決定できるので、スライド式シャッタの補強したい部分に補強部材を設置することができる。
【００１７】
請求項３に記載のスライド式シャッタの補強構造によると、補強体の内部に伸長及び縮退自在に形成され、伸長状態において上端が架設レールの下面に設けられた係止部に係止されるとともに下端が建物開口部の床面に形成された固定孔に収納される伸縮部材を備えるので、補強部材の下側のみならず上側も固定することができ、より安定してスライド式シャッタを補強することができる。
【００１８】
請求項４に記載のスライド式シャッタの補強構造によると、架設レールが一般的な形鋼である溝形鋼により形成されているので、殆ど加工する必要がなく比較的安価に設置できる。なお、ここで本発明の「溝形鋼」は溝形鋼、リップ溝形鋼、軽溝形鋼を含む。
【００１９】
請求項５に記載のスライド式シャッタの補強構造によると、架設レールが一般的な形鋼であるＨ形鋼により形成されているので、殆ど加工する必要がなく比較的安価に設置できる。しかもローラは、Ｈ形鋼の下側のフランジの両側部にそれぞれ設けられているので補強体が重い場合でも確実に支持することができ、補強強度を高めることができる。
【００２０】
請求項６に記載のスライド式シャッタの補強構造によると、補強体の中間位置に円筒状に形成された保持部が固定されており、この保持部の周りに円筒状の弾性体からなる圧接部が外嵌しており、圧接部が保持部を軸として回転自在であるとともに、この圧接部の一部外周面が突出してシャッタ板に圧接する平坦面を形成しているので、圧接部を回転させて、平坦面がシャッタ板に圧接する状態と、シャッタ板から離れた状態とに移行可能であるので、圧接部をシャッタ板に圧接させてシャッタ板を確実に補強することができるとともに、シャッタを開くときなどのようにシャッタ板を補強する必要がないときには、圧接部をシャッタ板から話した状態で建物開口部の側方に補強体をスライドさせて移行させることができる。
【００２１】
請求項７に記載のスライド式シャッタの補強構造によると、補強部材が前記シャッタ板を挟んで屋内側及び屋外側にそれぞれ形成されるので、より確実にシャッタ板を補強することができる。
【図面の簡単な説明】
【００２２】
【図１】第１の実施形態に係るスライド式シャッタの補強構造を示す斜視図。
【図２】第１の実施形態に係るスライド式シャッタの補強構造を示す断面図。
【図３】第１の実施形態に係るＨ形鋼の架設レール及びローラを説明する一部省略斜視図。
【図４】第１の実施形態に係るスライド式シャッタの補強構造を用いてシャッタ板を補強している状態を示す斜視図。
【図５】第１の実施形態に係るレバー、固定部、及び固定孔の構成及び作用を説明する一部省略斜視図。
【図６】第１の実施形態に係る架設レールの変形例として、架設レールをリップ溝形鋼とした状態を説明する斜視図。
【図７】第２の実施形態に係るスライド式シャッタの補強構造を示す斜視図。
【図８】第２の実施形態に係るスライド式シャッタの補強構造を示す断面図。
【図９】第２の実施形態に係る車輪及び溝部を説明する図８の（Ａ）部分拡大図。
【図１０】第２の実施形態に係る車輪及びストッパの構成を説明する一部省略斜視図。
【図１１】第２の実施形態に係る車輪及びストッパの変形例を説明する一部省略斜視図。
【図１２】第３の実施形態に係るスライド式シャッタの補強構造を示す断面図。
【図１３】第３の実施形態に係るスライド式シャッタの補強構造を示す一部省略拡大図。
【図１４】補強体に固定される保持部及び圧接部の形状を示す一部省略斜視図。
【図１５】保持部に圧接部を外嵌させた状態を示す一部省略斜視図。
【図１６】保持部及び圧接部の作用を示す一部省略断面図。
【図１７】従来のスライド式シャッタの補強構造を説明する正面図。
【発明を実施するための形態】
【００２３】
〔第１の実施形態〕
以下に、本発明を実施するための第１の実施形態について、図１から図５を参照しつつ説明する。第１の実施形態に係るスライド式シャッタの補強構造１は、図１及び図２に示すように建物開口部１０の両側縁に沿って上下方向に設けられた一対のガイドレール２に案内されて、前記建物開口部１０を開閉可能なシャッタ板３を備えるスライド式シャッタ４に設置されるものである。このスライド式シャッタ４の屋内側及び屋外側の建物開口部１０の上縁にはそれぞれ架設レール５が架設されている。そして、建物開口部１０の幅方向の中央の床面Ｆにはシャッタ板３を挟んで屋内側及び屋外側に固定孔６がそれぞれ形成されている。また、シャッタ板３に近接するように屋内側及び屋外側には、上端が架設レール５にスライド可能に吊下げられた長手形状の補強部材７が設置されている。
【００２４】
架設レール５は図４に示すように、建物開口部１０の両側部に形成された建物の構造躯体である柱８にそれぞれの端部が固定されており、図３に示すように、上下に平行に架設される一対のフランジ５ａの幅方向の中心に沿ってウェブ５ｂで連結したＨ形鋼により形成されている。なお、図示の便宜上、柱８は図４以外の図面においては省略している。また、固定孔６は、図１及び図５に示すように、補強部材７の下端に形成された固定部９の端部が収納できる大きさの四角く形成された凹部であり、床面Ｆを構成するコンクリートを掘削して形成されている。なお、例えば、コンクリートを打設して床面Ｆを形成する際に、予め固定孔６を形成する部分に型枠を設けてその部分だけにコンクリートを打設しないことにより固定孔６を形成するものであってもよい。
【００２５】
そして、補強部材７は、架設レール５の上を回転移動するローラ１１と、上端がローラ１１の軸１２に連結されて下方に延びる内部が中空の筒状に形成された補強体１３と、この補強体１３の内部に上側部分が収納可能な固定部９と、この固定部９を、補強体１３から収納および伸出するように操作可能なレバー１４と、を備えている。
【００２６】
ローラ１１は、弾性を有する樹脂により円筒状に形成されており、図２及び図３に示すように、架設レール５の下側のフランジ５ａの両側部の上にそれぞれ回転移動可能に設けられている。このように、ローラ１１がフランジ５ａの両側部の上にそれぞれ設けられることで、ローラ１１の軸１２に連結される補強体１３がシャッタ板３から離反する方向にずれることを防ぐことができ、補強体１３が確実にシャッタ板３を補強することができる。このローラ１１の軸１２は、架設レール５の下側に設けられた補強体１３の上端に連結されている。これにより、補強部材７は架設レール５に吊下げられた状態で、水平方向に自由にスライドさせることができる。したがって、シャッタ板３を引き上げてスライド式シャッタ４を開放するときには、補強部材７をスライドさせて、建物開口部１０の端に保持することで、建物開口部１０を開放することができる。また、シャッタ板３を下ろしてスライド式シャッタ４を閉鎖するときには、補強部材７をスライドさせて、建物開口部１０の幅方向の中央に保持することで、シャッタ板３を補強することができる。
【００２７】
補強体１３は、鉄やアルミニウムなどの金属を形成した建物開口部１０の高さよりも若干短い四角柱状に形成されており、ローラ１１の軸１２から下方に吊下げられている。この補強体１３のシャッタ板３に向き合う面には弾性シート１５が貼付されており、風などでシャッタ板３がバタついて補強体１３に衝突する場合にも弾性シート１５により衝撃を弱めることができ、シャッタ板３の破損を抑制することができるとともに、騒音の防止にもつながる。この補強体１３の下部は、図５に示すように、内部が空洞に形成されている。そして、この補強体１３下部には、外側から内部の空洞に貫通する貫通孔１６がシャッタ板３と反対側の面に形成されている。この貫通孔１６は正面から見たときに、両端が下方を向いており、一端が他端よりも高い「７」の字状に形成されている。また固定部９は、上部が補強体１３下部に形成された空洞に出入自在に収納されるとともに、下端が固定孔６に収納可能な四角柱状の金属により形成されている。レバー１４は補強体１３の貫通孔１６を挿通して固定部９に螺着しており、レバー１４を貫通孔１６の高い側の端部に保持すると、図５（Ａ）に示すように、固定部９は空洞内にさらに挿入されて、建物開口部１０の床面Ｆに届かず、補強体１３とともに上方から吊下げられた状態になる。一方、レバー１４を貫通孔１６の低い側の端部に保持すると、図５（Ｂ）に示すように、固定部９は空洞から伸出して建物開口部１０の床面Ｆに届き、固定部９の下部が建物開口部１０の床面Ｆに形成された固定孔６に収納される。このように、固定部９の下部が建物開口部１０の固定孔６に収納されることにより、補強部材７は上端が架設レール５に連結され下端が固定孔６に固定されるので、建物開口部１０の幅方向の中央の屋内側及び屋外側に補強部材７が保持されることになり、補強体１３がシャッタ板３を補強する。
【００２８】
本実施形態のスライド式シャッタの補強構造１によると、ローラ１１により建物開口部１０の上縁に沿って架設される架設レール５に補強部材７の上端がスライド可能に連結されており、この補強部材７の下端に形成された固定部９が、建物開口部１０の床面Ｆに形成された固定孔６に収納されるので、補強部材７が架設レール５と固定孔６との間に固定されることになり、スライド式シャッタ４を補強することができる。したがって、スライド式シャッタ４の幅が広い場合であっても、極めて簡単な構成でスライド式シャッタ４を補強することができる。
【００２９】
なお、本実施形態において、架設レール５はＨ形鋼により形成されたものを例示したが、これに限定されるものではなく、例えば図６に示すように上下に平行に架設される一対のフランジ５ｂの側縁同士をウェブ５ｃで連結した断面Ｃ字状の溝形鋼であってもよい。
【００３０】
〔第２の実施形態〕
次に、第２の実施形態に係るスライド式シャッタの補強構造１について、図７から図１０を参照しつつ説明する。なお、第１の実施形態に係るスライド式シャッタの補強構造１と同様の構成については同一の符号を付して説明を省略する。
【００３１】
第２の実施形態に係るスライド式シャッタの補強構造１は、図７に示すように、スライド式シャッタ４の屋内側及び屋外側の建物開口部１０の上縁にそれぞれ架設レール５が架設されており、建物開口部１０の床面Ｆにはシャッタ板３を挟んで屋内側及び屋外側にそれぞれ溝部１７が形成されている。また、シャッタ板３に近接するように屋内側及び屋外側には、上端が架設レール５にスライド可能に吊下げられ、下端に溝部１７に沿って移動可能な車輪１８が形成された長手形状の補強部材７が設置されている。
【００３２】
架設レール５は第１の実施形態と同様の構成である。また、溝部１７は図７及び図８に示すように、建物開口部１０の一方の側部から他方の側部までの間の床面Ｆに、シャッタ板３を挟んで屋内側と屋外側とにそれぞれ形成されている。この溝部１７は、床面Ｆのコンクリートを打設する際に、型枠を用いて形成してもよいし、コンクリートの床面Ｆを掘削して形成してもよい。この溝部１７には図８及び図９に示すように、シャッタ板３から離れた側の面に弾性体により形成された車輪保護シート１９が貼付されている。溝部１７に移動可能に設置される車輪１８は、補強部材７風などでバタつくシャッタ板３に押されて、シャッタ板３から離反する方向に力が加わる場合があるが、溝部１７には車輪保護シート１９が貼付されているので、溝部１７の側面に車輪１８が衝突しても車輪１８に加わる衝撃を少なくすることができる。
【００３３】
そして、補強部材７は、架設レール５の上を回転移動するローラ１１と、上端がローラ１１の軸１２に連結された補強体１３と、補強体１３の下端に回転可能に固定された車輪１８と、この車輪１８の回転を係止するストッパ２０と、このストッパ２０を操作するレバー１４とを備える。ローラ１１及び補強体１３は第１の実施形態と同様の構成である。車輪１８は、補強体１３下端から下方に向かって延びる２枚の支持片２１の間に保持される円筒状の弾性体であって、２枚の支持片２１に回転可能に支持されるシャフト２２に貫通されて回動可能に支持されている。
【００３４】
ストッパ２０は補強体１３の下部に形成された空洞ににその一部が収納されるとともに、下端が車輪１８の上部に当接可能な金属片である。レバー１４はこのストッパ２０に補強体１３に形成された貫通孔１６を挿通してストッパ２０に螺着しており、レバー１４を貫通孔１６の高い側の端部に保持すると、図１０（Ａ）に示すように、ストッパ２０は空洞に収納されて下端が車輪１８に届かないので、車輪１８は係止されずに自在に回転することができる。一方、レバー１４を貫通孔１６の低い側の端部に保持すると、図１０（Ｂ）に示すように、ストッパ２０は空洞から伸出して車輪１８の上端部に当接して車輪１８の回転を規制する。補強部材７を建物開口部１０の適切な位置までスライドさせてから、ストッパ２０により車輪１８の回転を規制することにより、極めて簡単な構成でスライド式シャッタ４を補強することができる。また、車輪１８を停止させる位置は任意に決定できるので、スライド式シャッタ４の補強したい部分に補強体１３を設置することができる。
【００３５】
なお、この実施形態ではストッパ２０は車輪１８を係止することにより、補強部材７を固定する構成としたが、図１１に示すように、ストッパ２０の下端が建物開口部１０の床面Ｆに形成された係止孔２３に挿入されて、補強部材７を固定する構成であってもよい。すなわちストッパ２０は補強体１３の下部に形成された空洞ににその一部が収納されるとともに、下端が床面Ｆに形成された係止孔２３に挿入可能な金属片であり、レバー１４は補強体１３に形成された貫通孔１６を挿通してストッパ２０に螺着しており、レバー１４を貫通孔１６の高い側の端部に保持すると、図１１（Ａ）に示すように、ストッパ２０は空洞に収納されて下端が係止孔２３に届かないので、補強部材７を溝部１７に沿って水平方向にスライドさせることができる。一方、レバー１４を貫通孔１６の低い側の端部に保持すると、図１１（Ｂ）に示すように、ストッパ２０は中空洞から伸出して係止孔２３に届くので、補強部材７を所定の位置に固定することができる。
【００３６】
〔第３の実施形態〕
次に、第３の実施形態に係るスライド式シャッタの補強構造１について、図１２及び図１３を参照しつつ説明する。なお、第１の実施形態に係るスライド式シャッタの補強構造１と同様の構成については同一の符号を付して説明を省略する。
【００３７】
第３の実施形態に係るスライド式シャッタの補強構造１は、図１２及び図１３に示すように、スライド式シャッタ４の屋内側及び屋外側の建物開口部１０の上縁にそれぞれ架設レール５が架設されており、建物開口部１０の幅方向の中央の床面Ｆにはシャッタ板３を挟んで屋内側及び屋外側に固定孔６がそれぞれ形成されている。また、シャッタ板３に近接するように屋内側及び屋外側には、上端が架設レール５にスライド可能に吊下げられた長手形状の補強部材７が設置されている。
【００３８】
架設レール５及び固定孔６はそれぞれ第１の実施形態と同様の構成である。そして補強部材７は、架設レール５の上を回転移動するローラ１１と、上端がローラ１１の軸１２に連結され下方に延びる補強体１３と、補強体１３の内部に伸長及び縮退自在に形成され、伸長状態において上端が前記架設レール５の下面に設けられた係止部２４に係止されるとともに下端が前記建物開口部１０の床面Ｆに形成された固定孔６に収納される伸縮部材２５と、を備えている。
【００３９】
補強体１３は内部が中空に形成されている。この補強体１３内部に収納される伸縮部材２５は、その高さ方向の中央に補強体１３を貫通して回転可能に設けられた軸部２６と、軸部２６に固定されて軸部２６の回転にしたがって揺動する短い棒状の揺動片２７と、この揺動片２７の一端に回動可能に軸着されるとともに上方に延びた棒状の上側連結棒２８と、この上側連結棒２８の上端に軸支される上側固定片２９と、揺動片２７の他端に回動可能に軸着されるとともに下方に延びた棒状の下側連結棒３０と、この下側連結棒３０の下端に回動可能に連結される下側固定片３１と、を備える。
【００４０】
軸部２６は補強体１３を貫通して一部が補強体１３の外部に露出して、この部分にレバー１４が固定されており、このレバー１４を９０度倒すことにより、軸部２６を回転させることができる。揺動片２７は軸部２６の回転にしたがって、長手方向が鉛直方向から水平方向まで移行可能であり、図１２（Ａ）及び図１３（ｂ）に示すように、長手方向を鉛直方向になるように保持すると、この揺動片２７の端部に回動可能に固定された上側連結棒２８がより上方に移動し、下側連結棒３０がより下方に移動する。そして、図１３（ａ）に示すように、上側連結棒２８に揺動可能に固定されている上側固定片２９も上方に移動し、図１３（ｃ）に示すように、下側連結棒３０に揺動可能に固定されている下側固定片３１も下方に移動する。これにより伸縮部材２５の全長が伸長するとともに、上端側では架設レール５の下面に設けられた係止部２４に上側固定片２９が係止され、下端側では建物開口部１０の床面Ｆに形成された固定孔６に下側固定片３１が挿入される。したがって、補強部材７は上下の端部でそれぞれ固定されることになり、シャッタ板３を確実に補強することができる。
【００４１】
また、図１２（Ｂ）及び図１３（ｅ）に示すように、レバー１４を起こすと軸部２６が９０度回転し、これに伴って揺動片２７の長手方向が水平方向になるように保持される。揺動片２７が水平方向に保持されると、この揺動片２７の端部に回転可能に固定された上側連結棒２８が下方に移動し、下側連結棒３０が上方に移動する。そして、図１３（ｄ）に示すように、上側連結棒２８に揺動可能に固定されている上側固定片２９も下方に移動し、図１３（ｆ）に示すように、下側連結棒３０に揺動可能に固定されている下側固定片３１も上方に移動する。これにより伸縮部材２５の全長が縮退するとともに、上端側では架設レール５の下面に設けられた係止部２４から上側固定片２９が離脱し、下端側では建物開口部１０の床面Ｆに形成された固定孔６から下側固定片３１が外れる。したがって、補強部材７は架設レール５にスライド可能に吊下げられた状態になるので、補強部材７を建物開口部１０のいずれかの側部にスライドさせて、シャッタ板３を引き上げることによりスライド式シャッタ４を開放することができる。
【００４２】
このように、本実施形態のスライド式シャッタの補強構造１によると、補強体１３の下側のみならず上側も固定することができ、より安定してスライド式シャッタ４を補強することができるとともに、レバー１４を９０度回転させるだけで極めて簡単に補強部材７を固定した状態とスライドさせることができる状態とに移行することができる。
【００４３】
なお、上述の第１の実施形態、第２の実施形態、及び第３の実施形態は一例であり、実施の形態は、上述の形態に限ることなく、本発明の思想を逸脱しない範囲で適宜変更することができる。
【００４４】
例えば補強体１３の中間部に図１４に示すように、円筒状に形成された保持部３２を外嵌させて溶接固定し、この保持部３２にさらに円筒状の弾性体からなる圧接部３３を外嵌させるように構成してもよい。保持部３２は例えば鉄などの金属により形成された円筒状であって、下端がフランジ状に広がって形成されている。そして圧接部３３は保持部３２に外嵌可能な円筒状の弾性体であって、外周の一部が突出して平坦面３４を形成している。例えばスライド式シャッタ４を開放する場合のように、補強部材７を建物開口部１０の側部にスライド移動させるときには、圧接部３３を保持部３２を軸として回転させて、平坦面３４がシャッタ板３に当接しない方向を向ける。このようにすると補強体１３はシャッタ板３に当接しないので補強部材７をスムーズにスライド移動させることができる。また、補強部材７を建物開口部１０の中央に保持してシャッタ板３を補強する際には、圧接部３３を保持部３２を軸として回転させて、平坦面３４をシャッタ板３側に向ける。このようにすると平坦面３４がシャッタ板３に圧接するので、シャッタ板３をよりいっそう補強することができるとともに、シャッタ板３がバタついて騒音を発生させることを抑制することができる。
【００４５】
なお、本実施形態においては、補強部材７はシャッタ板３の屋内側と屋外側にそれぞれ１本づつ設置しているが、屋内側又は屋外側のいずれか一方にのみ設置してもよく、また、屋内側及び屋外側にそれぞれ複数設置してもよい。
【産業上の利用可能性】
【００４６】
本発明のスライド式シャッタの補強構造１は、特に幅の広い大型のスライド式シャッタ４を補強する構造として、好適に用いることができる。
【符号の説明】
【００４７】
１      スライド式シャッタの補強構造
２      ガイドレール
５      架設レール
６      固定孔
７      補強部材
９      固定部
１０    建物開口部
１１    ローラ
１２    軸
１３    補強体
１４    レバー
１６    貫通孔
１７    溝部
１８    車輪
２０    ストッパ
２５    伸縮部材
３２    保持部
３３    圧接部
３４    平坦面
【図１】
2011246897.tif 000003
【図２】
2011246897.tif 000004
【図３】
2011246897.tif 000005
【図４】
2011246897.tif 000006
【図５】
2011246897.tif 000007
【図６】
2011246897.tif 000008
【図７】
2011246897.tif 000009
【図８】
2011246897.tif 000010
【図９】
2011246897.tif 000011
【図１０】
2011246897.tif 000012
【図１１】
2011246897.tif 000013
【図１２】
2011246897.tif 000014
【図１３】
2011246897.tif 000015
【図１４】
2011246897.tif 000016
【図１５】
2011246897.tif 000017
【図１６】
2011246897.tif 000018
【図１７】
2011246897.tif 000019
【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
建物開口部の両側縁に沿って上下方向に設けられた一対のガイドレールに案内されて、前記建物開口部を開閉可能なシャッタ板を備えるスライド式シャッタの補強構造であって、
前記建物開口部の上縁に沿って架設される架設レールと、
前記建物開口部の床面に形成される固定孔と、
上端が前記架設レールにスライド可能に連結されるとともに、下端が前記固定孔に出入自在に挿入される補強部材と、を備え、
前記補強部材は、前記架設レールに案内されて回転移動するローラと、
上端が前記ローラの軸に連結され下方に延びる、少なくとも下部が中空の筒状に形成された補強体と、
該補強体の下部に少なくとも一部が収納可能であると共に前記補強体の下部から伸出可能な固定部と、
該固定部を、前記補強体の下部に収納させた状態と、前記補強体の下部から伸出させて前記固定孔に挿入させた状態とに操作可能なレバーと、
前記補強体の中間位置に外嵌して固定される円筒状に形成された保持部と、
前記保持部に外嵌する円筒状の弾性体からなる圧接部と、を具備し、
前記圧接部は、前記保持部を軸として回転自在であるとともに、その一部外周面が突出して前記シャッタ板に圧接する平坦面を形成したことを特徴とするスライド式シャッタの補強構造。
【請求項２】
建物開口部の両側縁に沿って上下方向に設けられた一対のガイドレールに案内されて、前記建物開口部を開閉可能なシャッタ板を備えるスライド式シャッタの補強構造であって、
前記建物開口部の上縁に沿って架設される架設レールと、
前記建物開口部の下縁に沿って床面に形成される溝部と、
上端が前記架設レールにスライド可能に連結されるとともに、下端が前記溝部に案内される補強部材と、を備え、
前記補強部材は、前記架設レールに案内されて回転移動可能なローラと、
上端が前記ローラの軸に連結され下方に延びる補強体と、
前記補強体の下部に形成されて、前記溝部に沿って回転移動可能な車輪と、
前記車輪を停止させるストッパと、
前記補強体の中間位置に外嵌して固定される円筒状に形成された保持部と、
前記保持部に外嵌する円筒状の弾性体からなる圧接部と、を具備し、
前記圧接部は、前記保持部を軸として回転自在であるとともに、その一部外周面が突出して前記シャッタ板に圧接する平坦面を形成したことを特徴とするスライド式シャッタの補強構造。
【請求項３】
建物開口部の両側縁に沿って上下方向に設けられた一対のガイドレールに案内されて、前記建物開口部を開閉可能なシャッタ板を備えるスライド式シャッタの補強構造であって、
前記建物開口部の上縁に沿って架設される架設レールと、
前記建物開口部の床面に形成される固定孔と、
上端が前記架設レールにスライド可能に連結される補強部材と、を備え、
前記補強部材は、前記架設レールに案内されて回転移動可能なローラと、
上端が前記ローラの軸に連結され下方に延びる補強体と、
前記補強体の内部において上下方向に伸長及び縮退自在に収納され、伸長状態において上端が前記補強体の上部から突出し前記架設レールの下面に設けられた係止部に係止されるとともに下端が前記補強体の下部から突出し前記建物開口部の床面に形成された固定孔に収納される伸縮部材と、
前記補強体の中間位置に外嵌して固定される円筒状に形成された保持部と、
前記保持部に外嵌する円筒状の弾性体からなる圧接部と、を具備し、
前記圧接部は、前記保持部を軸として回転自在であるとともに、その一部外周面が突出して前記シャッタ板に圧接する平坦面を形成したことを特徴とするスライド式シャッタの補強構造。
【請求項４】
前記架設レールは上下に平行に架設される一対のフランジの側縁同士をウェブで連結した溝形鋼により形成されており、
前記ローラは、前記溝形鋼の下側のフランジの上を回転移動することを特徴とする請求項１から請求項３のいずれかに記載のスライド式シャッタの補強構造。
【請求項５】
前記架設レールは上下に平行に架設される一対のフランジの幅方向の中心に沿ってウェブで連結したＨ形鋼により形成されており、
前記ローラは、前記Ｈ形鋼の下側のフランジの両側部の上にそれぞれ設けられて回転移動することを特徴とする請求項１から請求項３のいずれかに記載のスライド式シャッタの補強構造。
【請求項６】
前記補強部材が前記シャッタ板を挟んで屋内側及び屋外側にそれぞれ形成されることを特徴とする請求項１から請求項５に記載のスライド式シャッタの補強構造。
【手続補正２】
【補正対象書類名】明細書
【補正対象項目名】０００８
【補正方法】変更
【補正の内容】
【０００８】
上記目的を達成するために、請求項１に記載のスライド式シャッタの補強構造は、建物開口部の両側縁に沿って上下方向に設けられた一対のガイドレールに案内されて、前記建物開口部を開閉可能なシャッタ板を備えるスライド式シャッタの補強構造であって、前記建物開口部の上縁に沿って架設される架設レールと、前記建物開口部の床面に形成される固定孔と、上端が前記架設レールにスライド可能に連結されるとともに、下端が前記固定孔に出入自在に挿入される補強部材と、を備え、前記補強部材は、前記架設レールに案内されて回転移動するローラと、上端が前記ローラの軸に連結され下方に延びる、少なくとも下部が中空の筒状に形成された補強体と、該補強体の下部に少なくとも一部が収納可能であると共に前記補強体の下部から伸出可能な固定部と、該固定部を、前記補強体の下部に収納させた状態と、前記補強体の下部から伸出させて前記固定孔に挿入させた状態とに操作可能なレバーと、前記補強体の中間位置に外嵌して固定される円筒状に形成された保持部と、前記保持部に外嵌する円筒状の弾性体からなる圧接部と、を具備し、前記圧接部は、前記保持部を軸として回転自在であるとともに、その一部外周面が突出して前記シャッタ板に圧接する平坦面を形成したことを特徴としている。
【手続補正３】
【補正対象書類名】明細書
【補正対象項目名】０００９
【補正方法】変更
【補正の内容】
【０００９】
請求項２に記載のスライド式シャッタの補強構造は、建物開口部の両側縁に沿って上下方向に設けられた一対のガイドレールに案内されて、前記建物開口部を開閉可能なシャッタ板を備えるスライド式シャッタの補強構造であって、前記建物開口部の上縁に沿って架設される架設レールと、前記建物開口部の下縁に沿って床面に形成される溝部と、上端が前記架設レールにスライド可能に連結されるとともに、下端が前記溝部に案内される補強部材と、を備え、前記補強部材は、前記架設レールに案内されて回転移動可能なローラと、上端が前記ローラの軸に連結され下方に延びる補強体と、前記補強体の下部に形成されて、前記溝部に沿って回転移動可能な車輪と、前記車輪を停止させるストッパと、前記補強体の中間位置に外嵌して固定される円筒状に形成された保持部と、前記保持部に外嵌する円筒状の弾性体からなる圧接部と、を具備し、前記圧接部は、前記保持部を軸として回転自在であるとともに、その一部外周面が突出して前記シャッタ板に圧接する平坦面を形成したことを特徴としている。
【手続補正４】
【補正対象書類名】明細書
【補正対象項目名】００１０
【補正方法】変更
【補正の内容】
【００１０】
請求項３に記載のスライド式シャッタの補強構造は、建物開口部の両側縁に沿って上下方向に設けられた一対のガイドレールに案内されて、前記建物開口部を開閉可能なシャッタ板を備えるスライド式シャッタの補強構造であって、前記建物開口部の上縁に沿って架設される架設レールと、前記建物開口部の床面に形成される固定孔と、上端が前記架設レールにスライド可能に連結される補強部材と、を備え、前記補強部材は、前記架設レールに案内されて回転移動可能なローラと、上端が前記ローラの軸に連結され下方に延びる補強体と、前記補強体の内部において上下方向に伸長及び縮退自在に収納され、伸長状態において上端が前記補強体の上部から突出し前記架設レールの下面に設けられた係止部に係止されるとともに下端が前記補強体の下部から突出し前記建物開口部の床面に形成された固定孔に収納される伸縮部材と、前記補強体の中間位置に外嵌して固定される円筒状に形成された保持部と、前記保持部に外嵌する円筒状の弾性体からなる圧接部と、を具備し、前記圧接部は、前記保持部を軸として回転自在であるとともに、その一部外周面が突出して前記シャッタ板に圧接する平坦面を形成したことを特徴としている。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
請求項６に記載のスライド式シャッタの補強構造は、前記補強部材が前記シャッタ板を挟んで屋内側及び屋外側にそれぞれ形成されることを特徴としている。
【手続補正７】
【補正対象書類名】明細書
【補正対象項目名】００１７
【補正方法】変更
【補正の内容】
【００１７】
請求項３に記載のスライド式シャッタの補強構造によると、補強体の内部に伸長及び縮退自在に形成され、伸長状態において上端が架設レールの下面に設けられた係止部に係止されるとともに下端が建物開口部の床面に形成された固定孔に収納される伸縮部材を備えるので、補強部材の下側のみならず上側も固定することができ、より安定してスライド式シャッタを補強することができる。
また、本願請求項１から本願請求項３に記載のスライド式シャッタの補強構造によると、補強体の中間位置に円筒状に形成された保持部が固定されており、この保持部の周りに円筒状の弾性体からなる圧接部が外嵌しており、圧接部が保持部を軸として回転自在であるとともに、この圧接部の一部外周面が突出してシャッタ板に圧接する平坦面を形成しているので、圧接部を回転させて、平坦面がシャッタ板に圧接する状態と、シャッタ板から離れた状態とに移行可能であるので、圧接部をシャッタ板に圧接させてシャッタ板を確実に補強することができるとともに、シャッタを開くときなどのようにシャッタ板を補強する必要がないときには、圧接部をシャッタ板から話した状態で建物開口部の側方に補強体をスライドさせて移行させることができる。
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】変更
【補正の内容】
【００２１】
請求項６に記載のスライド式シャッタの補強構造によると、補強部材が前記シャッタ板を挟んで屋内側及び屋外側にそれぞれ形成されるので、より確実にシャッタ板を補強することができる。